(57)【要約】【課題】パケット費用やダウンロード（ＤＬ）に費やす時間を抑制することができ、適切にリッチコンテンツを流通させることができる無線通信端末、無線通信システム並びに動作制御プログラム及びそのプログラムを記録した記録媒体を提供する。【解決手段】情報配信システムは、情報を配信する情報配信サービスサーバ４と、キャリア網２を用いたグローバルネットワークとキャリア網２以外のＢｌｕｅｔｏｏｔｈ利用によるローカルネットワークとの少なくともいずれか１つに接続され、情報配信サービスサーバ４からグローバルネットワーク又はローカルネットワークを使用して情報を取得する携帯電話機１０とを備え、サービスサーバ８０の制御部８１が課金データベース８４を用いて、情報配信サービスサーバ４から配信される情報の量が一定の基準値を超える場合にＢｌｕｅｔｏｏｔｈ利用によるローカルネットワークにアクセスする。【選択図】  図７
2004350109.tif 000002
【特許請求の範囲】
【請求項１】
キャリア網を用いたグローバルネットワークと、前記キャリア網以外のローカルネットワークとの少なくともいずれか１つに接続され、情報配信装置から前記グローバルネットワーク又は前記ローカルネットワークを使用して情報を取得する無線通信端末であって、
前記情報配信装置から配信される情報の量が一定の基準値を超える場合に前記ローカルネットワークにアクセスするように制御する制御手段
を備えることを特徴とする無線通信端末。
【請求項２】
前記情報の量は、データ量、ダウンロード時間、又はパケット価格により設定されることを特徴とする請求項１記載の無線通信端末。
【請求項３】
前記配信情報にダウンロードのアクセス先を示すタグを付与し、
前記制御手段は、前記配信情報に前記タグが付与されていないとき、前記情報配信装置から配信される情報の量が一定の基準値を超える場合に前記ローカルネットワークにアクセスすることを特徴とする請求項１又は２に記載の無線通信端末。
【請求項４】
前記配信情報にダウンロードのアクセス先を示すタグを付与し、
前記制御手段は、前記タグに基づいて、前記グローバルネットワーク又は前記ローカルネットワークにアクセスすることを特徴とする請求項１乃至３のいずれか一項に記載の無線通信端末。
【請求項５】
さらに、前記制御手段は、前記ローカルネットワークに接続されるアクセスポイント内にあることを判別し、前記アクセスポイント内にあるとき、前記ローカルネットワークにアクセスすることを特徴とする請求項１乃至４のいずれか一項に記載の無線通信端末。
【請求項６】
さらに、ユーザにダウンロードすることを確認する確認手段を備え、前記制御手段は、前記確認手段の確認に基づいて前記グローバルネットワーク又は前記ローカルネットワークにアクセスすることを特徴とする請求項１、３、４又は５のいずれか一項に記載の無線通信端末。
【請求項７】
前記ローカルネットワークは、Ｂｌｕｅｔｏｏｔｈ、ＵＷＢ、又は無線ＬＡＮを使用したネットワークであることを特徴とする請求項１乃至６のいずれか一項に記載の無線通信端末。
【請求項８】
前記無線通信装置は、携帯電話機、ＰＨＳ、携帯情報端末、又はＦＷＡ端末であることを特徴とする請求項１乃至７のいずれか一項に記載の無線通信端末。
【請求項９】
情報を配信する情報配信装置と、キャリア網を用いたグローバルネットワークと前記キャリア網以外のローカルネットワークとの少なくともいずれか１つに接続され、前記情報配信装置から前記グローバルネットワーク又は前記ローカルネットワークを使用して情報を取得する無線通信端末とを有する情報配信システムであって、
前記情報配信装置から配信される情報の量が一定の基準値を超える場合に前記ローカルネットワークにアクセスするように制御する制御手段
を備えることを特徴とする情報配信システム。
【請求項１０】
前記情報の量は、データ量、ダウンロード時間、又はパケット価格により設定されることを特徴とする請求項９記載の情報配信システム。
【請求項１１】
前記配信情報にダウンロードのアクセス先を示すタグを付与し、
前記制御手段は、前記配信情報に前記タグが付与されていないとき、前記情報配信装置から配信される情報の量が一定の基準値を超える場合に前記ローカルネットワークにアクセスすることを特徴とする請求項１０記載の情報配信システム。
【請求項１２】
前記配信情報にダウンロードのアクセス先を示すタグを付与し、
前記制御手段は、前記タグに基づいて、前記グローバルネットワーク又は前記ローカルネットワークにアクセスすることを特徴とする請求項１０又は１１に記載の情報配信システム。
【請求項１３】
さらに、前記制御手段は、前記ローカルネットワークに接続されるアクセスポイント内にあることを判別し、前記アクセスポイント内にあるとき、前記ローカルネットワークにアクセスすることを特徴とする請求項９、１１又は１２のいずれか一項に記載の情報配信システム。
【請求項１４】
さらに、ユーザにダウンロードすることを確認する確認手段を備え、前記制御手段は、前記確認手段の確認に基づいて前記グローバルネットワーク又は前記ローカルネットワークにアクセスすることを特徴とする請求項９、１１、１２又は１３のいずれか一項に記載の情報配信システム。
【請求項１５】
前記ローカルネットワークは、Ｂｌｕｅｔｏｏｔｈ、ＵＷＢ、又は無線ＬＡＮを使用したネットワークであることを特徴とする請求項９、１１、１２、１３又は１４のいずれか一項に記載の情報配信システム。
【請求項１６】
情報を配信する情報配信装置と、キャリア網を用いたグローバルネットワークと前記キャリア網以外のローカルネットワークとの少なくともいずれか１つに接続され、前記情報配信装置から前記グローバルネットワーク又は前記ローカルネットワークを使用して情報を取得する無線通信端末とを有する情報配信システムであって、前記情報配信装置から配信される情報の量が一定の基準値を超える場合に前記ローカルネットワークにアクセスするように制御する制御手段をコンピュータに実行させるためのプログラム。
【請求項１７】
情報を配信する情報配信装置と、キャリア網を用いたグローバルネットワークと前記キャリア網以外のローカルネットワークとの少なくともいずれか１つに接続され、前記情報配信装置から前記グローバルネットワーク又は前記ローカルネットワークを使用して情報を取得する無線通信端末とを有する情報配信システムであって、前記情報配信装置から配信される情報の量が一定の基準値を超える場合に前記ローカルネットワークにアクセスするように制御する制御手段をコンピュータに実行させるためのプログラムを記録したことを特徴とするコンピュータ読み取り可能な記録媒体。
【発明の詳細な説明】
【０００１】
【発明の属する技術分野】
本発明は、キャリア以外の電波を送受信して無線通信を行う通信機能を備える携帯電話機等の無線通信端末、無線通信システム並びに動作制御プログラム及びそのプログラムを記録した記録媒体に関し、詳細には、情報配信装置からキャリア以外のネットワークを使用して情報を取得する無線通信端末を有する情報配信システムに関する。
【０００２】
【従来の技術】
セルラシステムの自動車電話、携帯電話に代表される移動体通信は、近年普及の一途にあり、ＰＤＡ（Ｐｅｒｓｏｎａｌ  Ｄｉｇｉｔａｌ  Ａｓｓｉｓｔａｎｔｓ）機能付き等の多機能携帯電話機もますます普及するものと考えられる。
【０００３】
キャリア以外のローカルネットワークにアクセスできるシステムとして無線ＬＡＮやＢｌｕｅｔｏｏｔｈ、ＵＷＢ（Ｕｌｔｒａ  Ｗｉｄｅｂａｎｄ）が使用される。無線ＬＡＮは、無線ＬＡＮ機能を持つ携帯ノート型パソコン、ＰＤＡなどの携帯情報端末に幅広く用いられている。より低消費電力が要求される携帯電話機では、Ｂｌｕｅｔｏｏｔｈ，ＵＷＢなどの小電力近距離双方向無線通信方式が注目されている。Ｂｌｕｅｔｏｏｔｈは、マスタ（サーバ）とスレーブ（クライアント）との間で近距離の双方向無線通信を行うシステムであり、地球上のどこでも機器間の通信を可能にするため、全世界で使える２．４ＧＨｚ周波数帯を使用する。現在の規格での通信速度は１Ｍｂｐｓであり、将来的には１０Ｍｂｐｓへのバージョンアップを計画している。実質的なチャネルのレートは、３チャンネルまでの同期音声通信、または１チャンネルで音声とデータの同時通信が可能。非同期チャネルでは、７２１Ｋｂｐｓの双方向接続と５７．６Ｋｂｐｓの戻り方向接続、または４３２．６Ｋｂｐｓでの対称リンクをサポートしている。
【０００４】
Ｂｌｕｅｔｏｏｔｈを搭載した携帯端末として、例えば特許文献１では、携帯端末から所望のコンテンツを伝送するようにＢｌｕｅｔｏｏｔｈで情報ダウンロードサーバに要求し、情報ダウンロードサーバから暗号化を施した情報をＢｌｕｅｔｏｏｔｈで携帯端末に送信する。また、特許文献２では、店舗毎に設置された情報発信機１と、前記店舗の近傍において前記情報発信機１が配信する情報を受信する携帯端末２とからなり、前記情報発信機１と前記携帯端末２との間でＢｌｕｅｔｏｏｔｈにより情報コンテンツの配信を行う情報配信システムが開示されている。さらに、特許文献３では、サーバ側Ｂｌｕｅｔｏｏｔｈ機器は、クライアント側Ｂｌｕｅｔｏｏｔｈ機器とのコネクションが確立した際、配信情報データベースに記憶されている配信情報をクライアント側Ｂｌｕｅｔｏｏｔｈ機器へ配信する情報配信システムが開示されている。
【０００５】
【特許文献１】
特開２００２−７７１３０号公報（図１）
【特許文献２】
特開２００２−８４５７０号公報（図１）
【特許文献３】
特開２００１−３３９４０８号公報（図１）
【０００６】
【発明が解決しようとする課題】
携帯電話のネットワークは高速に移行する段階（２Ｇから３Ｇ）にあり、高速化によって高速大容量情報いわゆるリッチコンテンツの流通も可能となっている。
しかしながら、３Ｇに代表される高速大容量通信であってもリッチコンテンツを流通させるためには以下のような問題が発生する。
▲１▼情報量が大きいためパケット費用が高い。
▲２▼情報量が大きいためダウンロード（ＤＬ）に費やす時間が長い。
▲３▼ユーザ集中時の品質を保つために基地局の設備投資が大きくなる。
【０００７】
本発明は、このような課題に鑑みてなされたものであって、パケット費用やダウンロード（ＤＬ）に費やす時間を抑制することができ、適切にリッチコンテンツを流通させることができる無線通信端末、無線通信システム並びに動作制御プログラム及びそのプログラムを記録した記録媒体を提供することを目的としている。
【０００８】
【課題を解決するための手段】
本発明の無線通信端末は、キャリア網を用いたグローバルネットワークと、前記キャリア網以外のローカルネットワークとの少なくともいずれか１つに接続され、情報配信装置から前記グローバルネットワーク又は前記ローカルネットワークを使用して情報を取得する無線通信端末であって、前記情報配信装置から配信される情報の量が一定の基準値を超える場合に前記ローカルネットワークにアクセスするように制御する制御手段を備えることを特徴としている。
また、前記情報の量は、データ量、ダウンロード時間、又はパケット価格により設定されるものであってもよい。
【０００９】
前記配信情報にダウンロードのアクセス先を示すタグを付与し、前記制御手段は、前記配信情報に前記タグが付与されていないとき、前記情報配信装置から配信される情報の量が一定の基準値を超える場合に前記ローカルネットワークにアクセスすることがより好ましい。
【００１０】
前記配信情報にダウンロードのアクセス先を示すタグを付与し、前記制御手段は、前記タグに基づいて、前記グローバルネットワーク又は前記ローカルネットワークにアクセスすることがより好ましい。
【００１１】
さらに、前記制御手段は、前記ローカルネットワークに接続されるアクセスポイント内にあることを判別し、前記アクセスポイント内にあるとき、前記ローカルネットワークにアクセスするものであってもよい。
【００１２】
さらに、ユーザにダウンロードすることを確認する確認手段を備え、前記制御手段は、前記確認手段の確認に基づいて前記グローバルネットワーク又は前記ローカルネットワークにアクセスするものであってもよい。
【００１３】
また、より好ましい具体的な態様として、前記ローカルネットワークは、Ｂｌｕｅｔｏｏｔｈ、ＵＷＢ、又は無線ＬＡＮを使用したネットワークである。
また、より好ましい具体的な態様として、前記無線通信装置は、携帯電話機、ＰＨＳ、携帯情報端末、又はＦＷＡ端末である。
【００１４】
本発明の情報配信システムは、情報を配信する情報配信装置と、キャリア網を用いたグローバルネットワークと前記キャリア網以外のローカルネットワークとの少なくともいずれか１つに接続され、前記情報配信装置から前記グローバルネットワーク又は前記ローカルネットワークを使用して情報を取得する無線通信端末とを有する情報配信システムであって、前記情報配信装置から配信される情報の量が一定の基準値を超える場合に前記ローカルネットワークにアクセスするように制御する制御手段を備えることを特徴としている。
【００１５】
前記情報の量は、データ量、ダウンロード時間、又はパケット価格により設定されるものであってもよい。
前記配信情報にダウンロードのアクセス先を示すタグを付与し、前記制御手段は、前記配信情報に前記タグが付与されていないとき、前記情報配信装置から配信される情報の量が一定の基準値を超える場合に前記ローカルネットワークにアクセスすることがより好ましい。
【００１６】
前記配信情報にダウンロードのアクセス先を示すタグを付与し、前記制御手段は、前記タグに基づいて、前記グローバルネットワーク又は前記ローカルネットワークにアクセスすることがより好ましい。
【００１７】
さらに、前記制御手段は、前記ローカルネットワークに接続されるアクセスポイント内にあることを判別し、前記アクセスポイント内にあるとき、前記ローカルネットワークにアクセスするものであってもよい。
【００１８】
さらに、ユーザにダウンロードすることを確認する確認手段を備え、前記制御手段は、前記確認手段の確認に基づいて前記グローバルネットワーク又は前記ローカルネットワークにアクセスするものであってもよい。
【００１９】
また、本発明は、情報を配信する情報配信装置と、キャリア網を用いたグローバルネットワークと前記キャリア網以外のローカルネットワークとの少なくともいずれか１つに接続され、前記情報配信装置から前記グローバルネットワーク又は前記ローカルネットワークを使用して情報を取得する無線通信端末とを有する情報配信システムであって、前記情報配信装置から配信される情報の量が一定の基準値を超える場合に前記ローカルネットワークにアクセスするように制御する制御手段をコンピュータに実行させるためのプログラムである。
【００２０】
さらに、本発明は、情報を配信する情報配信装置と、キャリア網を用いたグローバルネットワークと前記キャリア網以外のローカルネットワークとの少なくともいずれか１つに接続され、前記情報配信装置から前記グローバルネットワーク又は前記ローカルネットワークを使用して情報を取得する無線通信端末とを有する情報配信システムであって、前記情報配信装置から配信される情報の量が一定の基準値を超える場合に前記ローカルネットワークにアクセスするように制御する制御手段をコンピュータに実行させるためのプログラムを記録したことを特徴とするコンピュータ読み取り可能な記録媒体である。
【００２１】
【発明の実施の形態】
以下、添付図面を参照しながら本発明の好適な無線通信端末及び無線通信システムの実施の形態について詳細に説明する。
【００２２】
図１は、本発明の実施の形態の無線通信システムの基本構成を示す図である。無線通信システムとして、無線通信端末とネットワークを介して接続されるサービスサーバとからなる無線通信システムに適用した例である。
【００２３】
図１において、１０は無線通信を行う携帯電話機／ＰＨＳ（Ｐｅｒｓｏｎａｌ  Ｈａｎｄｙ−Ｐｈｏｎｅ  Ｓｙｓｔｅｍ）や携帯情報端末（以下、ＰＤＡ（Ｐｅｒｓｏｎａｌ  Ｄｉｇｉｔａｌ  Ａｓｓｉｓｔａｎｔｓ）という）などの無線通信端末であり、無線通信端末１０はキャリア以外のネットワークを使った情報配信サービスとしてＢｌｕｅｔｏｏｔｈサービスを受信可能なＢｌｕｅｔｏｏｔｈ送受信機能を備える。図１では、無線通信端末１０として携帯電話機を例に採っている。
【００２４】
無線通信システムは、キャリアサーバ１と、キャリアサーバ１に接続される専用回線からなるキャリア網２と、キャリア網２に接続される携帯電話機の複数の基地局３、基地局３と無線通信を行うとともにＢｌｕｅｔｏｏｔｈ送受信機能を備える複数の携帯電話機１０（無線通信端末）と、情報配信サービスのためのサーバ４（情報提供装置）、高速専用通信回線５を通して情報配信サービスサーバ４に接続されるＢｌｕｅｔｏｏｔｈ送受信のための複数のアクセスポイントＡＰ（Ａｃｃｅｓｓ＃Ｐｏｉｎｔ）６と、情報配信サービスサーバ４とキャリアサーバ１とを接続するインターネット又は専用回線からなるネットワーク網７とを備えて構成される。
【００２５】
アクセスポイントＡＰ（Ａｃｃｅｓｓ＃Ｐｏｉｎｔ）６は、例えばコンビニエンスストア，ファミリーレストラン，レコード店，ガソリンスタンドなど各種店舗のレジスタ（金銭登録機）に設置され、高速専用通信回線５を通して情報配信サービスサーバ４に接続される。本実施の形態では、アクセスポイントＡＰ６をレジスタに設置した例であるが、これは一例にすぎず、レジスタ以外のアクセスポイントＡＰでもよいことは言うまでもない。ここでは、アクセスポイントＡＰ６ａは、コンビニエンスストアに設置されたレジスタであり、エリアＡがそのＢｌｕｅｔｏｏｔｈによるローカルネットワーク使用可能エリアである。同様に、アクセスポイントＡＰ６ｂは、ファミリーレストランに設置されたレジスタによるローカルネットワーク使用可能エリアＢを、アクセスポイントＡＰ６ｃは、レコード店に設置されたレジスタによるローカルネットワーク使用可能エリアＣを、アクセスポイントＡＰ６ｄは、ガソリンスタンドに設置されたレジスタによるローカルネットワーク使用可能エリアＤをそれぞれ形成する。
【００２６】
キャリアサーバ１は、基地局３をキャリア網２で結ぶキャリアのネットワーク上のサーバである。キャリアサーバ１は、キャリアのサーバとしての機能のほかに、携帯電話機１０の発する情報から現在位置の情報に変換して基地局３を介して携帯電話機１０に送信する機能を有する。さらに、キャリアサーバ１は、Ｂｌｕｅｔｏｏｔｈ利用による料金のディスカウントサービス機能を有するサービスサーバ８０を備える（図５により後述する）。
【００２７】
キャリア網２及び／又はネットワーク網７は、移動体通信網、公衆電話網、ＬＡＮやインターネットなどから構成するネットワークであり、有線系又は無線系などネットワークの種類とプロトコルの種類は特に問わない。また、キャリア網２のアクセス回線としてはＦＴＴＨ（Ｆｉｂｅｒ  Ｔｏ  Ｔｈｅ  Ｈｏｍｅ）、ＨＦＣ（Ｈｙｂｒｉｄ  Ｆｉｂｅｒ  Ｃｏａｘ：光同軸ケーブル）、及びＡＤＳＬ（Ａｓｙｍｍｅｔｒｉｃ  Ｄｉｇｉｔａｌ  Ｓｕｂｓｃｒｉｂｅｒ  Ｌｉｎｅ）／ＶＤＳＬ（Ｖｅｒｙ  ｈｉｇｈ  ｄａｔａ  ｒａｔｅ  Ｄｉｇｉｔａｌ  Ｓｕｂｓｃｒｉｂｅｒ  Ｌｉｎｅ）等の大容量回線が利用可能である。
【００２８】
基地局３は、複数の携帯電話機１０からの電波をアンテナを経由して送受信し、キャリア網２を通じてキャリアサーバ１に接続される。キャリア網２及び基地局３は、携帯電話機１０において情報の送受信を行う際に、自端末と相手端末を接続する。
【００２９】
情報配信サービスサーバ４は、携帯電話機１０からの要求に従い、コンテンツデータベース６３（図４により後述する）に蓄積されたデータを、高速専用通信回線５及びアクセスポイントＡＰ（Ａｃｃｅｓｓ＃Ｐｏｉｎｔ）６通して携帯電話機１０に配信する。
【００３０】
図１では、１つの携帯電話機１０と２つの基地局３、４つのアクセスポイントＡＰ６を図示しているが、任意の数の携帯通信端末と基地局及びアクセスポイントＡＰで構成することが可能であり、また、携帯電話機１０の種類はどのようなものでもよい。
【００３１】
携帯電話機１０は、キャリア以外のネットワークに接続可能な携帯端末であればよく、上記携帯電話機に限らず、ＰＨＳやＰＤＡなどの携帯情報端末でもよい。また、ＰＣＭＣＩＡカード，ＣＦカード形状のＢｌｕｅｔｏｏｔｈ接続装置など、形態は限定されない。さらに、キャリア以外のローカルネットワークにアクセスできるシステムとしてＢｌｕｅｔｏｏｔｈには限定されず、ＵＷＢや無線ＬＡＮでもよい。また、ＦＷＡ（Ｆｉｘｅｄ  Ｗｉｒｅｌｅｓｓ  Ａｃｃｅｓｓ）端末のような、使用場所を移動することが可能な無線通信端末も含まれる。
【００３２】
図２は、上記携帯電話機１０の構成を示すブロック図であり、カメラ付き携帯電話機の無線通信端末に適用した例である。
図２において、カメラ付き携帯電話機１０（無線通信端末）は、本装置全体を制御するＣＰＵからなる主制御部２１（制御手段）、制御プログラムや固定データ等を記憶するＲＯＭ，ＣＰＵの作業用記憶領域であるＲＡＭ等の半導体メモリ及びハードディスクなどからなり受信又は入力された文字情報、画像情報、音声信号を記憶する記憶部２２、キャリア用無線通信を行うためのアンテナ２３、電波を送受信して無線通信を行うＲＦ無線部２４、ＲＦ無線部２４を制御する通信制御部２５、ＲＦ無線部２４及び各モジュールに電源を供給する電源部２６、電源部２６を制御する電源制御部２７、Ｂｌｕｅｔｏｏｔｈ用無線通信を行うためのアンテナ２８、電波を送受信して無線通信を行うＢｌｕｅｔｏｏｔｈ無線部２９、Ｂｌｕｅｔｏｏｔｈ無線部２９を制御するＢｌｕｅｔｏｏｔｈ通信制御部３０、自端末の現在位置情報を取得する位置情報取得部３１、音声を入力するためのマイク３２、着信音や受話，キープッシュ音等を鳴らすスピーカ３３（確認手段の一部）、受信信号及びマイク３２からの入力音声信号をデジタル信号処理する音声コーデックを備える通話制御部３４、操作のためのガイダンスや受信情報をカラー表示する液晶パネルからなる表示部３５（確認手段の一部）、表示部３５を駆動制御する表示制御部３６、ユーザからのキー操作情報を入力生成する操作部３７（確認手段の一部）、対象となる画像情報を入力するカメラからなる撮像部３８、及び撮像部３８を制御する撮像制御部３９を備えて構成される。
【００３３】
主制御部２１は、マイクロコンピュータ等により構成され、装置全体の制御を行うとともに、ＲＦ無線部２４の動作状態を制御する通信制御部２５、Ｂｌｕｅｔｏｏｔｈ無線部２９の動作状態を制御するＢｌｕｅｔｏｏｔｈ通信制御部３０、ＲＦ無線部２４及び／又はＢｌｕｅｔｏｏｔｈ無線部２９の通電を制御する電源制御部２７、記憶部２２、位置情報取得部３１、通信制御部３４、表示制御部３６、操作部３７、及び撮像制御部３９の動作を制御する。
【００３４】
記憶部２２は、ＲＯＭ、ＲＡＭ及び電気的に書換可能な不揮発性メモリであるＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）であり、主制御部２１のプログラム、通信制御データ、さらにカメラ付き携帯電話機１０の撮像データ等の種々のデータを記憶する。
【００３５】
ＲＯＭは、主制御部２１が動作する際に必要なプログラム、通信制御データ等の固定データを記憶する読出し専用の半導体メモリである。ＲＡＭは、通信に関するデータ、演算に使用するデータ及び演算結果等を一時的に記憶するいわゆるワーキングメモリとして使用される。携帯電話機１０で処理されるプログラムは、このＲＡＭに展開されて実行される。また、ＲＡＭの一部は、電気的に書換可能な不揮発性メモリであるＥＥＰＲＯＭ（ｅｌｅｃｔｒｉｃａｌｌｙ  ｅｒａｓａｂｌｅ  ｐｒｏｇｒａｍｍａｂｌｅ  ＲＯＭ）からなり、ＥＥＰＲＯＭに書き込むプログラムを変えることによって、特に携帯電話機１０における各種の仕様を変更することができる。すなわち、最近ではシステム開発のデバッグごとにマスクＲＯＭを変更する時間損失を回避するため、プログラムＲＯＭを不揮発性メモリ、例えばＥＰＲＯＭ，ＥＥＰＲＯＭとし、プログラム開発・修正時間の短縮の大幅な短縮を図っている。また、プログラムをダウンロードしてＥＥＰＲＯＭのプログラム内容を書き換えるようにすれば機能のアップグレードや機能の変更を容易に行うことが可能になる。
【００３６】
通信制御部２５は、無線移動通信網との通信を行うための機能部であり、マイク３２から入力された音声信号を送受信無線周波数（ＲＦ）に変調してアンテナ２３から輻射する送信機、アンテナ２３からの送受信無線周波数（ＲＦ）帯の信号を受信する受信機、多重化された信号を変調し、変調された信号を送受信機に出力するとともに、送受信機により無線受信された信号を復調する変復調部、パワーアンプ等からなる。ＲＦ無線部２４は、上記送受信機を構成する。
アンテナ２８は、Ｂｌｕｅｔｏｏｔｈ通信制御部３０により変換した信号を送信したり、外部から電波を受信する。本アンテナ２８もＢｌｕｅｔｏｏｔｈ通信用である。
【００３７】
Ｂｌｕｅｔｏｏｔｈ通信制御部３０は、信号の拡散や変調、フィルタリング等の処理を行うもので、主に極超短波（ＳＨＦ）によるスペクトル拡散方式を使用し、低出力での半径数十ｍの範囲での通信を行う。例えば、２．４ＧＨｚ帯の周波数を使いスペクトル拡散を用いた多元接続（ＣＤＭＡ：Ｃｏｄｅ  Ｄｉｖｉｓｉｏｎ  Ｍｕｌｔｉｐｌｅ  Ａｃｃｅｓｓ）通信方式を使用する。
【００３８】
Ｂｌｕｅｔｏｏｔｈ無線部２９は、ユーザデータ又はユーザプロファイルを極超短波（ＳＨＦ）に変調してアンテナ２８から輻射する送信機、アンテナ２８からの送受信極超短波（ＳＨＦ）の信号を受信する受信機等からなる無線部と、多重化された信号を変調し、変調された信号を無線部に出力するとともに、無線部により無線受信された信号を復調する変復調部とから構成される。
【００３９】
上記Ｂｌｕｅｔｏｏｔｈ無線部２９及びＢｌｕｅｔｏｏｔｈ通信制御部３０は、キャリア用の通信制御部２５とは使用周波数帯や変調方式等が異なるため別個の無線制御部を設ける必要がある。Ｂｌｕｅｔｏｏｔｈ通信制御部３０は、携帯電話機用であるが汎用的な無線通信システムにすることも可能である。
【００４０】
位置情報取得部３１は、基地局３及びネットワークを介してキャリアサーバ１と情報の送受信を行い、接近確認から自端末の現在位置情報を取得する。あるいは、位置情報取得部３１は、例えば位置情報の電波をＧＰＳ（Ｇｌｏｂａｌ  Ｐｏｓｉｔｉｏｎｉｎｇ  Ｓｙｓｔｅｍ）衛星等から受信するＧＰＳアンテナを備え、ＧＰＳアンテナを介して受信した情報より、現在位置情報を、緯度／経度の２つのパラメータとして算出するＧＰＳ機能により位置情報を取得する。
【００４１】
通話制御部３４は、内部の音声コーデックにより受信信号及びマイク３２からの入力音声信号をデジタル信号処理する。マイク３２からの入力音声信号は、図示しない増幅器で必要に応じて入力音声信号の増幅処理が行われる。この音声コーデックは、デジタル信号処理された受信信号をこの増幅器で必要に応じて増幅処理を行ってスピーカ３３によって音声出力する。また、通話制御部３４は、通話回線からのエコーを消去するためのエコーキャンセラを制御するエコーキャンセラを備えている。
【００４２】
表示部３５は、ドットマトリクス構成のカラー表示可能なＬＣＤディスプレイ，バックライトであるＰＤＰ，ＥＬ及び各ドライバ等で構成される。例えば、待機時には時刻が表示され、また通話時には通話相手の電話番号や通話時間が表示される。また、必要に応じて表示用照明（バックライト）が点灯又は点滅する。
【００４３】
操作部３７は、着信，発信，電話機能切り替え，動作決定等を行う電話機能キー、各種機能を切り替えるためのモードキー、上下左右の方向に選択対象を移動させるカーソルキー、カメラの入力を決定するシャッターボタンであるシャッターキー、及び電話番号の入力等ダイヤルするためのメンブレンキー（Ｍｅｍｂｒａｎｅ  ｋｅｙ）からなるダイヤルキーから構成される。
【００４４】
撮像部３８は、携帯電話機１０に内蔵された例えば３４万画素のＣＣＤ（Ｃｈａｒｇｅ  Ｃｏｕｐｌｅｄ  Ｄｅｖｉｃｅ）（エリア型固体撮像素子）カメラである。撮像部３８は、単焦点レンズを有し、通常撮影時とマクロ撮影時とで焦点深度が切換えられる。
【００４５】
図３は、上記アクセスポイントＡＰ６が設置されるレジスタ（金銭登録機）の通信部の構成を示すブロック図である。
図３において、レジスタ４０は、本装置全体及びドロア等を制御するＣＰＵからなる主制御部４１、制御プログラムや固定データ等を記憶するＲＯＭ，ＣＰＵの作業用記憶領域であるＲＡＭ等の半導体メモリなどからなり売上データ，演算に使用するデータ及び演算結果を記憶する記憶部４２、キャリア用無線通信を行うためのアンテナ４３、電波を送受信して無線通信を行うＲＦ無線部４４、ＲＦ無線部４４を制御する通信制御部４５、各モジュールに電源を供給する電源部４６、電源部４６を制御する電源制御部４７、Ｂｌｕｅｔｏｏｔｈ用無線通信を行うためのアンテナ４８、電波を送受信して無線通信を行うＢｌｕｅｔｏｏｔｈ無線部４９、Ｂｌｕｅｔｏｏｔｈ無線部４９を制御するＢｌｕｅｔｏｏｔｈ通信制御部５０、高速専用通信回線５を通して情報配信サービスサーバ４に接続するための回線インタフェース５１、受信情報をカラー表示する液晶パネルからなる表示部５２、表示部５２を駆動制御する表示制御部５３、及びキー操作情報を入力生成する操作部５４を備えて構成される。
【００４６】
また、図示は省略するが、レジスタ４０は、記憶部４２に記憶された一登録分メモリ、小計メモリ等の各種データをジャーナル用紙及びレシート用紙に印字する印字部、現金を収納し現金／預かり金キー等が操作された際に開放されるドロアがそれそれ接続されている。
【００４７】
また、操作部５４には、そのキーボード上に置数キー、ＰＬＵキー、現金キー、その他のファンクションキー等の操作キーが設けられているほか、「設定（Ｐ）」、「登録（ＲＥＧ）」、「電源オフ（ＯＦＦ）」、「点検（Ｘ）」、「精算（Ｚ）」の各モードに指定するモードスイッチＭＳが設けられている。
【００４８】
上記アンテナ４３、ＲＦ無線部４４、通信制御部４５、電源部４６、電源制御部４７、アンテナ４８、Ｂｌｕｅｔｏｏｔｈ無線部４９及びＢｌｕｅｔｏｏｔｈ通信制御部５０は、図２で説明した携帯電話機１０の対応する各部と同様の構成であるため説明を省略する。
また、上記アンテナ４３、ＲＦ無線部４４及び通信制御部４５は、キャリアにアクセスしない場合には省略が可能である。
【００４９】
図４は、情報配信サービスサーバ４の構成を示すブロック図である。
図４において、情報配信サービスサーバ４は、サーバ全体の制御及び情報配信機能、携帯電話機１０ユーザからの要望を把握して提供情報を作成し、該情報を提供するサービス提供処理を実現するコンピュータからなる主制御部６１と、高速専用通信回線５を通してアクセスポイントＡＰ６（ＡＰ６ａ，ＡＰ６ｂ，ＡＰ６ｃ，ＡＰ６ｄ）に接続しデータの送受信を行うための回線インターフェース６２と、音楽情報や画像情報などの各種提供コンテンツを蓄積するコンテンツデータベース６３、情報を表示する液晶パネルからなる表示部６４と、表示部６４を駆動制御する表示制御部６５、及びキーボードやマウス等のポインティングデバイスからなり操作情報を入力生成する操作部６６を備えて構成される。
【００５０】
コンテンツデータベース６３は、キャリア以外のネットワークを使った情報配信サービスを実現するための各種コンテンツを蓄積するデータベースであり、アクセスポイントＡＰ６からの管理情報を蓄積する管理データベースから独立して構成し、データリンクにより連携するものでもよい。
【００５１】
図５は、キャリアサーバ１の構成を示すブロック図である。
図５において、キャリアサーバ１は、キャリア又はその手続を代行する事業者であり、キャリア網２に接続され、キャリア網全般を制御するメインサーバ７０と、インターネット又は専用回線からなるネットワーク網７に接続され、各種サービス（ここではＢｌｕｅｔｏｏｔｈ利用による料金のディスカウントサービス）機能を有するサービスサーバ８０とを備え、メインサーバ７０とサービスサーバ８０とはデータを授受して連携動作が可能である。
【００５２】
メインサーバ７０は、キャリア全体の制御及び位置送信処理を実現するコンピュータからなる主制御部７１、キャリア網２に接続するための回線インターフェース７２、サービスサーバ８０との間でデータを送受信するデータ送受信部７３、加入者の電話番号や属性、関連情報等の顧客管理情報を蓄積する管理データベース（ＤＢ）７４、位置情報提供を行うための位置情報データベース７５を備えて構成される。この管理データベース７４は、キャリアサービスを実現するための各種パラメータを蓄積する設定データベースと、顧客管理情報を蓄積する管理データベースとを独立して構成し、データリンクにより連携するものでもよい。また、位置情報データベース７５は、メインサーバ７０の外部にあってデータリンクにより連携するものでもよい。位置情報データベース７５は、携帯電話機１０の位置情報取得部３１と共に、携帯電話機１０の現在位置情報を検出する位置位置検出手段の一部を構成する。
【００５３】
サービスサーバ８０は、サーバ全体を制御するコンピュータからなる制御部８１（制御手段）、ネットワーク網７に接続され、例えばインターネット上のＵＲＬ（Ｕｎｉｆｏｒｍ  Ｒｅｓｏｕｒｃｅ  Ｌｏｃａｔｏｒｓ）にアクセスされたデータを送受信する通信インタフェース８２、メインサーバ７０との間でデータを送受信するデータ送受信部８３、及び情報提供する情報の、データ量／時間／価格を蓄積する課金データベース（ＤＢ）８４を備えて構成される。
【００５４】
制御部８１は、情報配信サービスサーバ４から配信される情報の量が一定の基準値を超える場合にＢｌｕｅｔｏｏｔｈ利用によるローカルネットワークにアクセスするように制御する。
【００５５】
課金データベース（ＤＢ）８４の構築はどのようなものでもよく、例えば、情報配信するデータ量、ダウンロード時間、又はパケット価格を一覧表として保存し、ある一定の基準値を超える場合にその情報を出力する構成とする。また、データ量優先、ダウンロード時間優先の選択や時間帯割引情報などが付加されたものでもよい。
【００５６】
図６は、Ｂｌｕｅｔｏｏｔｈを使用したローカルネットワークで用いられるコンテンツデータ９０の構造を示す図である。図６において、データ構造フォーマットは、ヘッダ９１、タグ（Ｔａｇ）９２、データ９３からなる。タグ９２は、ダウンロードのアクセス先を示すものである。このタグ９２に基づいて、Ｂｌｕｅｔｏｏｔｈ利用によるグローバルネットワークとキャリア網２によるローカルネットワークのいずれかにアクセスすることができる。
【００５７】
ここで、本実施の形態では、キャリアサーバ１のサービスサーバ８０の制御部８１が、配信される情報の量が一定の基準値を超える場合にローカルネットワークにアクセスする制御を行う態様を示しているが、同様の機能を持つ制御手段であれば、情報配信システム上のどこに設置されていてもよい。例えば、キャリアサーバ１とは独立したサーバに設置されていてもよく、情報配信サービスサーバ４が本制御手段を備えるものでもよい。あるいは、携帯電話機１０などの無線通信端末が本制御手段を備えるものでもよい。なお、この場合は図２の携帯電話機１０の主制御部２１が本制御手段としての機能を持つことになる。
【００５８】
以下、上述のように構成された情報配信システムの動作を説明する。
前述したように、リッチコンテンツを流通させるためには、▲１▼情報量が大きいためパケット費用が高い、▲２▼情報量が大きいためダウンロード（ＤＬ）に費やす時間が長い、▲３▼ユーザ集中時の品質を保つために基地局の設備投資が大きくなるという課題を解決する必要がある。このために、Ｂｌｕｅｔｏｏｔｈを使ったローカルネットワークの大容量化を図り、大容量化したローカルネットワークにおいて一定の基準を超えたリッチコンテンツ（スーパーリッチコンテンツ）で流通させる方法を採用することが考えられる。
【００５９】
しかし、これはキャリアにとっては流通で発生するパケット代の徴収を放棄することを意味しキャリア側のデメリットが大きい。
そこで、本実施の形態では、ある一定の基準値を設け（データ量／時間／価格）、それを超える場合に限りＢｌｕｅｔｏｏｔｈのネットワークを使用して、ユーザの費用発生は一定の基準値の最大値とする課金システムを設けるものである。
【００６０】
図７乃至図９は、Ｂｌｕｅｔｏｏｔｈ利用による料金のディスカウントサービスを示すフローチャートであり、図４の制御部６１により実行される。図中、Ｓはフローの各ステップを示す。
【００６１】
まず、ステップＳ１で送信データが図６に示すタグ付き情報であるか否かをチェックする。タグ付き情報であればステップＳ２でその情報のタグをチェックし、キャリアを利用したグローバルネットワークかＢｌｕｅｔｏｏｔｈを使用したローカルネットワークかを判別する。Ｂｌｕｅｔｏｏｔｈを使用したローカルネットワークのときは、ステップＳ３でＢｌｕｅｔｏｏｔｈを使用可能なアクセスポイントＡＰ内か否かを判別する。タグ判別によりデータがローカルネットワークでかつＢｌｕｅｔｏｏｔｈを使用可能なアクセスポイントＡＰ内である場合には、ステップＳ４でＢｌｕｅｔｏｏｔｈを使用したローカルネットワークにアクセスして本フローを終了する。すなわち、予めタグによりローカルネットワークが指定され、かつＢｌｕｅｔｏｏｔｈを使用可能なアクセスポイントＡＰ内にあるときは、そのままローカルネットワークにアクセスする。
【００６２】
上記ステップＳ３でＢｌｕｅｔｏｏｔｈを使用可能なアクセスポイントＡＰでないときは、ステップＳ５でユーザに対して表示部３５へのメッセージ表示によりユーザ確認▲１▼を行う。ユーザ確認▲１▼は、ダウンロードに要する料金をユーザに確認するもので、例えば「ダウンロードするのに料金が＊＊円以上かかりますが良いですか？」を確認する。このユーザ確認▲１▼は、後述するユーザ確認▲２▼の場合と同様に、表示部３５へのメッセージ表示のほか、通話制御部３４内の音声合成ＬＳＩを用いた音声合成による音声メッセージ、あるいはその併用であってもよい。ユーザ確認▲１▼の結果、ユーザがダウンロードを希望しない場合は、処理をキャンセルして本フローを終了する。
【００６３】
ダウンロードするのに料金が＊＊円以上かかることをユーザが了承した上でダウンロードを希望する場合は、ステップＳ６でアクセス先をＢｌｕｅｔｏｏｔｈを使用したローカルネットワークからキャリアを利用したグローバルネットワークに変換し、ステップＳ７でグローバルネットワークにアクセスして本フローを終了する。
【００６４】
一方、上記ステップＳ１でデータが図６に示すタグ付き情報でなければステップＳ８でグローバルネットワークにアクセスし、ステップＳ９でアクセスしたグローバルネットワークからデータ量のデータを入手する。次いで、ステップＳ１０で入手したデータ量データとリファレンスデータ（参照データ）とを比較し、ステップＳ１１でネットワーク自動選択の判定を行う。上記リファレンスデータは、課金データベース８４で定義されたものを逐次ダウンロードして携帯電話機１０の記憶部２２に記憶したものを用いる。ネットワーク自動選択によりローカルネットワークが選択された場合はステップＳ１２でＢｌｕｅｔｏｏｔｈを使用可能なアクセスポイントＡＰ内か否かを判別する。アクセスポイントＡＰ内にあるときは、ステップＳ１３でローカルネットワークにアクセスして本フローを終了する。
【００６５】
一方、上記ステップＳ２でキャリアを利用したグローバルネットワークであればステップＳ１４でＢｌｕｅｔｏｏｔｈを使用可能なアクセスポイントＡＰ内か否かを判別し、アクセスポイントＡＰ内にあるときは、ステップＳ１５でユーザに対して表示部３５へのメッセージ表示又はスピーカ３３による音声によりユーザ確認▲２▼を行う。ユーザ確認▲２▼は、ローカルネットワークによるダウンロード料金をユーザに確認するもので、例えば「＊＊円以上かかりますが、ローカルネットワークでダウンロードしますか？」を確認する。この場合、「＊＊円以上かかりますが、…」のメッセージを、明確にキャリアよりも割高を明示する表現、例えば「このアクセスを実行すると、いまお使いの○○（キャリア名）より、約＊＊円割高になりますが、よろしいですか？」とするとより分りやすい。
【００６６】
ユーザがローカルネットワークによるダウンロードを選択したときは、ステップＳ１３でローカルネットワークにアクセスして本フローを終了する。
ユーザがローカルネットワークによるダウンロードを選択しなかったとき、あるいは上記ステップＳ１２又は上記ステップＳ１４でアクセスポイントＡＰ内にないときは、ステップＳ１６でユーザ確認▲１▼を行う。ユーザ確認▲１▼は、前記と同様に例えば「ダウンロードするのに料金が＊＊円以上かかりますが良いですか？」を確認する。ダウンロードするのに料金が＊＊円以上かかることをユーザが了承した上でダウンロードを希望する場合は、ステップＳ１７でグローバルネットワークにアクセスして本フローを終了する。また、ユーザ確認▲１▼の結果、ユーザがダウンロードを希望しない場合は、処理をキャンセルして本フローを終了する。
【００６７】
上記ステップＳ１１でネットワーク自動選択によりグローバルネットワークが選択された場合は、ステップＳ１８でＢｌｕｅｔｏｏｔｈを使用可能なアクセスポイントＡＰ内か否かを判別する。アクセスポイントＡＰ内である場合には、ステップＳ１９でユーザ確認▲２▼を行う。ユーザ確認▲２▼は、前記と同様例えば「＊＊円以上かかりますが、ローカルネットワークでダウンロードしますか？」あるいは、「このアクセスを実行すると、いまお使いの○○（キャリア名）より、約＊＊円割高になりますが、よろしいですか？」を確認する。ローカルネットワークで＊＊円以上かかることをユーザが了承した上でダウンロードをを希望する場合は、ステップＳ２０でローカルネットワークにアクセスして本フローを終了する。
【００６８】
上記ステップＳ１８でアクセスポイントＡＰ内にないとき、あるいは上記ステップＳステップＳ１９でユーザ確認▲２▼の結果、ローカルネットワークによるダウンロードを希望しないときは、ステップＳ２１で前記ユーザ確認▲１▼を行う。ダウンロードするのに料金が＊＊円以上かかることをユーザが了承した上でダウンロードを希望する場合は、ステップＳ２２でグローバルネットワークにアクセスして本フローを終了する。また、ユーザ確認▲１▼の結果、ユーザがダウンロードを希望しない場合は、処理をキャンセルして本フローを終了する。
【００６９】
以上のように、本実施の形態の情報配信システムは、情報を配信する情報配信サービスサーバ４と、キャリア網２を用いたグローバルネットワークとキャリア網２以外のＢｌｕｅｔｏｏｔｈ利用によるローカルネットワークとの少なくともいずれか１つに接続され、情報配信サービスサーバ４からグローバルネットワーク又はローカルネットワークを使用して情報を取得する携帯電話機１０とを備え、サービスサーバ８０の制御部８１が課金データベース８４を用いて、情報配信サービスサーバ４から配信される情報の量が一定の基準値を超える場合にＢｌｕｅｔｏｏｔｈ利用によるローカルネットワークにアクセスするように制御するので、Ｂｌｕｅｔｏｏｔｈを使ったローカルネットワークで一定の基準を超えたリッチコンテンツ（スーパーリッチコンテンツ）で流通させる場合、ユーザにとっては適当なデータ量（又は時間）の間高速大容量のローカルネットワークを使用でき、また情報配信サービスサーバ側では情報を配信する時間を短縮することができる。さらに、キャリア側にとっては一定の基準値までは必ずキャリア使用が保証されることに加え、例えば基準値を超えたデータ量のものでも基準値と同等の収入が得られるように設定可能である。これにより、ユーザ、キャリア及び情報提供者はそれぞれにメリットを享受することができる。
【００７０】
また、本実施の形態では、携帯電話機がもつキャリアのネットワークのメカニズムを利用することで、ハード的な追加無しで、コストアップを招くことなく容易に実施できる効果がある。
【００７１】
ここで、上述した実施の形態では、キャリアサーバ１のサービスサーバ８０に制御部８１（制御手段）及び課金データベース８４を設置する構成を示したが、これには限定されず、キャリアサーバ１と独立して制御部８１及び課金データベース８４を設置する態様でもよい。一般に、キャリア事業者と異なる事業主体が、本制御を実施する場合にはキャリアサーバ１とは独立した場所に制御部８１及び課金データベース８４が設置される。
【００７２】
また、本実施の形態では、キャリアサーバ１側に制御部８１及び課金データベース８４を設置しているが、課金データベース８４のデータ内容を携帯電話機１０の記憶部２２に記憶する構成でもよい。このように構成すれば、キャリアサーバ１と送受信することなく課金を判定することができる。
【００７３】
なお、本発明の無線通信端末及び無線通信システムは、上述の実施の形態に限定されるものではなく、本発明の要旨を逸脱しない範囲内において種々変更を加え得ることは勿論である。例えば、無線移動端末として携帯電話機等の移動端末としているが、携帯電話機に限らず情報機器機能を持った又はその融合された装置に適用可能である。また、データ送受信のできる装置として、パソコンに代表される情報機器機能に融合された装置であってもよく、全てのシステムに適用可能である。また、送受信データの内容はどのようなものであってもよい。
【００７４】
また、上記無線通信端末及び無線通信システムを構成する各処理部等の種類、設定情報の種類・形式などは前述した実施形態に限られない。
また、本実施の形態では無線通信端末及び無線通信システムという名称を用いたが、これは説明の便宜上であり、移動端末、通信端末装置等であってもよい。同様に、ネットワークサーバは、商用のコンテンツ情報を配信するサーバであってもよい。
【００７５】
さらに、上記サーバ、クライアントを構成するシステムの制御装置、記憶装置等の種類、データベースに記憶されるデータの種類などは前述した実施の形態に限られない。無線通信端末に用いられる移動通信方式は、ＴＤＭＡ方式、ＣＤＭＡ方式等どのような方式でもよく、位置情報取得機能は、ＰＨＳ・携帯電話の基地局等ユーザ端末に対して現在位置情報を与え、相手端末と接近確認から位置を検出する方法のほか、ＧＰＳを用いたものでもよい。
【００７６】
以上説明した無線通信端末及び無線通信システムは、この無線通信端末及び無線通信システムを機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００７７】
ここで、上記プログラムメディアは、本体と分離可能に構成される記録媒体であり、磁気テープやカセットテープ等のテープ系、フロッピー（登録商標）ディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００７８】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【００７９】
【発明の効果】
以上、詳述したように、本発明によれば、パケット費用やダウンロード（ＤＬ）に費やす時間を抑制することができ、適切にリッチコンテンツを流通させることができ、かつハード的な追加を行うことなくキャリア以外のローカルネットワークから情報を取得することができる。
【図面の簡単な説明】
【図１】本発明の実施の形態の無線通信システムの基本構成を示す図である。
【図２】本実施の形態の携帯電話機の構成を示すブロック図である。
【図３】本実施の形態の無線通信システムのアクセスポイントＡＰが設置されるレジスタの通信部の構成を示すブロック図である。
【図４】本実施の形態の無線通信システムの情報配信サービスサーバの構成を示すブロック図である。
【図５】本実施の形態の無線通信システムのキャリアサーバの構成を示すブロック図である。
【図６】本実施の形態の無線通信システムのローカルネットワークで用いられるコンテンツデータの構造を示す図である。
【図７】本実施の形態の無線通信システムのＢｌｕｅｔｏｏｔｈ利用による料金のディスカウントサービスを示すフローチャートである。
【図８】本実施の形態の無線通信システムのＢｌｕｅｔｏｏｔｈ利用による料金のディスカウントサービスを示すフローチャートである。
【図９】本実施の形態の無線通信システムのＢｌｕｅｔｏｏｔｈ利用による料金のディスカウントサービスを示すフローチャートである。
【符号の説明】
１  キャリアサーバ
２  キャリア網
３  基地局
４  情報配信サービスサーバ（情報提供装置）
５  高速専用通信回線
６  アクセスポイントＡＰ（Ａｃｃｅｓｓ＃Ｐｏｉｎｔ）
７  ネットワーク網
１０  カメラ付き携帯電話機（無線通信端末）
２１，４１，６１，７１  主制御部（判別手段，制御手段）
２２，４２  記憶部
２３，２８，４３  アンテナ
２４，４４  ＲＦ無線部
２５，４５  通信制御部
２６，４６  電源部
２７，４７  電源制御部
２９，４９  Ｂｌｕｅｔｏｏｔｈ無線部
３０，５０  Ｂｌｕｅｔｏｏｔｈ通信制御部
３１  位置情報取得部
３２  マイク
３３  スピーカ（確認手段の一部）
３４  通話制御部
３５，５２，６４  表示部（確認手段の一部）
３６，５３，６５  表示制御部
３７，５４，６６  操作部（確認手段の一部）
３８  撮像部
３９  撮像制御部
４０  レジスタ（金銭登録機）
４１  主制御部
５１，６２，７２  回線インタフェース
６３  コンテンツデータベース
７０  メインサーバ
７３，８３  データ送受信部
７４  管理データベース（ＤＢ）
７５  位置情報データベース
８０  サービスサーバ
８１  制御部（制御手段）
８２  通信インタフェース
８４  課金データベース（ＤＢ）
９０  コンテンツデータ
９１  ヘッダ
９２  タグ
９３  データ
【図１】
2004350109.tif 000003
【図２】
2004350109.tif 000004
【図３】
2004350109.tif 000005
【図４】
2004350109.tif 000006
【図５】
2004350109.tif 000007
【図６】
2004350109.tif 000008
【図７】
2004350109.tif 000009
【図８】
2004350109.tif 000010
【図９】
2004350109.tif 000011